(57)【特許請求の範囲】
【請求項１】
複数の光源と、前記複数の光源の点灯を制御する点灯制御部と、前記複数の光源及び点灯制御部を保持する取付基台と、これら部材を収容する筐体と、を備えた照明器具であって、
前記取付基台は、放熱性の高い材料により構成された長尺な角筒形状とされ、その外周面の一面が自身を前記筐体に対して固定するための固定面とされ、その外周面の他面が前記複数の光源が搭載される光源搭載面とされ、その内周面のいずれかの面が前記点灯制御部が搭載される点灯制御部搭載面とされ、互いに対向する位置に前記固定面と前記光源搭載面とを有し、該固定面の長手方向端部に自身を前記筐体に対してネジ止めするネジを挿通するためのネジ孔を有し、前記ネジ孔が該光源搭載面側から見たときに露出されるように該光源搭載面の長手方向長さが該固定面の長手方向長さよりも短く構成されて自身の両端に斜めの開口を有することを特徴とする照明器具。
【請求項２】
前記取付基台と前記筐体との間に介在して該取付基台を該筐体に取り付けるための支持台を更に備え、
前記支持台は、前記取付基台の固定面に固定される平板状の支持部と、前記支持部から立設され該筐体に接合される接合部と、を有することを特徴とする請求項１に記載の照明器具。
【発明の詳細な説明】
【技術分野】
【０００１】
本発明は、光源を保持する取付基台を備えた照明器具に関する。
【背景技術】
【０００２】
従来から光源と、光源を保持する取付基台と、光源の点灯を制御する点灯制御部と、これら部材を収納する筐体と、を備えた照明器具が知られている（例えば、特許文献１参照）。このような照明器具では、取付基台に保持された光源と点灯制御部とが別々に筐体内に収納されている。
【先行技術文献】
【特許文献】
【０００３】
【特許文献１】特開２０１１−１４２７５号公報
【発明の概要】
【発明が解決しようとする課題】
【０００４】
しかしながら、上述したような照明器具では、取付基台に保持された光源と点灯制御部とが別々に筐体内に収納されているので、部材点数が多くなって器具組み立てにおける作業工数が多くなる。また、放熱部材が設けられていないので、光源や点灯制御部から発せられた熱を効率良く外部に放熱することができない。
【０００５】
本発明は、上記課題を解決するものであって、光源を保持する取付基台を備えた照明器具において器具組み立て作業工数を少なくでき、かつ放熱部材を別途設けることなく器具内の熱を外部に効率良く放熱することができる照明器具を提供することを目的とする。
【課題を解決するための手段】
【０００６】
本発明の照明器具は、複数の光源と、前記複数の光源の点灯を制御する点灯制御部と、前記複数の光源及び点灯制御部を保持する取付基台と、これら部材を収容する筐体と、を備え、前記取付基台は、放熱性の高い材料により構成された長尺な角筒形状とされ、その外周面の一面が自身を前記筐体に対して固定するための固定面とされ、その外周面の他面が前記複数の光源が搭載される光源搭載面とされ、その内周面のいずれかの面が前記点灯制御部が搭載される点灯制御部搭載面とされ、互いに対向する位置に前記固定面と前記光源搭載面とを有し、該固定面の長手方向端部に自身を前記筐体に対してネジ止めするネジを挿通するためのネジ孔を有し、前記ネジ孔が該光源搭載面側から見たときに露出されるように該光源搭載面の長手方向長さが該固定面の長手方向長さよりも短く構成されて自身の両端に斜めの開口を有することを特徴とする。
【０００８】
前記取付基台と前記筐体との間に介在して該取付基台を該筐体に取り付けるための支持台を更に備え、前記支持台は、前記取付基台の固定面に固定される平板状の支持部と、前記支持部から前記筐体方向に立設され該筐体に接合される接合部と、を有することが好ましい。
【発明の効果】
【０００９】
本発明によれば、光源及び点灯制御部の両方を取付基台に取り付けて、これら部材を一体化することができるので、部材点数を減らして照明器具の組み立てにおける作業工数を減らすことができる。また、取付基台が放熱性を有する材料により構成され、かつ表面積の大きい角筒形状とされているので、別途放熱部材を設けなくても光源や点灯制御部から発せられた熱を効率良く外部に放熱することができる。
【図面の簡単な説明】
【００１０】
【図１】本発明の実施形態に係る照明器具の側面図とその一部拡大図。
【図２】上記照明器具の分解図。
【図３】上記照明器具を構成する灯具の下面図。
【図４】図３のＩ−Ｉ線断面図。
【図５】図４のＩＩ−ＩＩ線断面図。
【図６】上記灯具を構成する光源及び点灯制御部及び取付基台の斜視図。
【図７】上記光源の断面図。
【図８】上記照明器具において灯具がアームから外れた状態を示す側面図。
【発明を実施するための形態】
【００１１】
本発明の実施形態に係る照明器具について図面を参照して説明する。本照明器具は、街灯として道路や公園等に設置される。
【００１２】
図１及び図２に示すように、照明器具１は、地面Ｇに立設されたポール２と、ポール２の上部から横方向に伸びる複数のアーム３と、これらアーム３の各々の端部にそれぞれ取り付けられた複数の灯具４と、を備える。図例では、２本のアーム３が設けられ、それぞれのアーム３の端部に１つの灯具４が取り付けられている。各々のアーム３は、ポール２の側周面上方に互いに対向して設けられた一対の孔にそれぞれ溶接されている。アーム３は、ポール２と溶接された端部とは反対側の端部に、灯具４を取り付けるために外側へ広がった鍔部３２を有する。各々の灯具４は、その外形が円柱形状とされ、一方の端部を介してアーム３の鍔部３２にネジ３３によりネジ止めされる。灯具４は、その下面に設けられた窓４１から下方に光を照射する。ポール２及びアーム３は、それぞれ鋼管から成る円筒形状とされ、ポール２の内部空間２１とアーム３の内部空間３１とは互いに連通している。また、灯具４はそのアーム３にネジ止めされた端部に孔を有し、この孔を介して灯具４の内部とアーム３の内部空間３１とが連通している。
【００１３】
複数の灯具４は、内部空間２１、３１に挿通されたワイヤ５により互いに結ばれている。ワイヤ５は、ポール２の内部空間２１において１５〜２０ｃｍ程度の弛みを有するように配される。ワイヤ５は、灯具４から導出された灯具側ワイヤ５１と、内部空間２１、３１に挿通されたアーム側ワイヤ５２と、灯具側ワイヤ５１とアーム側ワイヤ５２とを繋ぐスクリュージョイント５３と、を有する。スクリュージョイント５３は、スクリュー５３ａを有し、スクリュー５３ａを締めることで閉環状となり、スクリュー５３ａを緩めることで開環状となる。スクリュージョイント５３を開環状とした状態でスクリュージョイント５３に灯具側ワイヤ５１及びアーム側ワイヤ５２それぞれの端部に設けた輪状部分を通し、スクリュー５３ａを締めることでこれらワイヤ５１、５２がスクリュージョイント５３に繋がれる。
【００１４】
内部空間２１、３１には、地中に埋設された配電線から得た電力を灯具４に供給するための電源ケーブル４２が挿通され、この電源ケーブル４２は灯具４のアーム３とネジ止めされた端部に設けられた孔を通って灯具４内に導入される。
【００１５】
図３乃至図５に示すように、灯具４は、複数の光源６と、これら光源６の点灯を制御する点灯制御部７と、光源６及び点灯制御部７を保持する取付基台８と、光源６及び点灯制御部７及び取付基台８を収容する筐体９と、を備える。取付基台８は、アルミニウムのような放熱性の高い材料により構成され、白色塗装が施された長尺な四角筒形状とされる。取付基台８は、その外周面の一面が自身を筐体９に対して固定するための固定面８Ａとされ、固定面８Ａとは反対側の外周面が複数の光源６が搭載される光源搭載面８Ｂとされ、その内周面の一面が点灯制御部７が搭載される点灯制御部搭載面８Ｃとされる。複数の光源６は、光源搭載面８Ｂの長手方向に沿って互いに等間隔を置いて配置されている。取付基台８は、支持台９１を介して筐体９に取り付けられる。
【００１６】
点灯制御部７は、電源ケーブル４２と接続され、各々の光源６に電力を供給する電源ユニット７１と、雷サージによる被害を防止するための避雷器７２と、を有する。電源ユニット７１及び避雷器７２は、共に防雨型とされる。
【００１７】
筐体９は、取付基台８の固定面８Ａ側を覆う樋形状の本体９２と、本体９２に係合され取付基台８の光源搭載面８Ｂ側を覆う樋形状の枠９３と、本体９２及び枠９３の両端部にそれぞれ取り付けられたエンド板９４と、を有する。枠９３の光源６に対向する面に窓４１が設けられ、窓４１には透光性のパネル９５が取り付けられる。光源６から出射された光は、パネル９５を透過して窓４１から外部へ照射される。また、枠９３は、灯具側ワイヤ５１を繋ぎとめるワイヤ固定具９６と、枠９３の灯具４からの落下を防止する枠落下防止ワイヤ９７と、を有する。枠落下防止ワイヤ９７は、その一端が枠９３に固定され、その他端が支持台９１に固定されている。筐体９はステンレス鋼板により構成され、パネル９５は透明内面消し加工が施されたアクリル樹脂により構成される。
【００１８】
支持台９１は、取付基台８の固定面８Ａに固定される平板状の支持部９８と、支持部９８から筐体９の本体９２方向に立設され筐体９に接合される接合部９９と、を有する。支持部９８は、取付基台８のネジ孔８２（後述参照）に対応する位置にネジ８１（後述参照）と螺合するネジ穴を有する。このネジ穴を介して、ネジ８１により取付基台８が支持部９８にネジ止めされる。接合部９９は、筐体９に溶接されている。支持台９１は、ステンレス鋼板により構成される。
【００１９】
図６に示すように、取付基台８は、固定面８Ａの長手方向端部に自身を筐体９に対して固定するネジ８１を挿通するネジ孔８２を有する。光源搭載面８Ｂの長手方向長さは、固定面８Ａの長手方向長さよりも短く構成されており、取付基台８の両端にはそれぞれ斜めの開口８３が形成されている。
【００２０】
図７に示すように、光源６は、ＬＥＤ６０を発光体とするＬＥＤユニット６１と、ＬＥＤユニット６１から出射された光を屈折してワイド配光とする透明なレンズ６２と、を有する。ＬＥＤ６０は、例えば、複数の高出力ＬＥＤチップがマトリクス状に配置されたものにより構成され、電球色の光を照射する。
【００２１】
ＬＥＤユニット６１は、ＬＥＤ６０を実装するベース部材６３と、ベース部材６３が取り付けられる取付枠６４と、を有する。ベース部材６３は、その中央領域に掘り込み形成されＬＥＤ６０を搭載するための凹状部と、この凹状部のＬＥＤ搭載面に設けられＬＥＤ６０のアノード電極及びカソード電極と電気的に接続される配線パターンと、を有する。この配線パターンは、ベース部材６３の取付枠６４と接する面に設けられた電極取出部に接続されている。電極取出部には配線が接続され、この配線は取付枠６４に設けられた配線口を通って光源６から導出された後、電源ユニット７１に接続される。ベース部材６３は、ネジ止め又は接着により取付枠６４に固定される。取付枠６４は、ネジ６５により取付基台８の光源搭載面８Ｂにネジ止めされる。
【００２２】
レンズ６２は、その内部にＬＥＤユニット６１のベース部材６３を収容する光源収納部６６と、光源収納部６６中央のＬＥＤ６０と対向する箇所に設けられた凹部６７と、を有する。凹部６７は、ＬＥＤ６０からの光が入射する光入射面を形成している。また、レンズ６２は、その側方から延設された脚部６８を介してネジ６９により取付基台８の光源搭載面８Ｂにネジ止めされる。レンズ６２は、透光性に優れた材料、例えば、アクリル樹脂、ポリカーボネート樹脂、ガラスにより構成される。
【００２３】
次に、以上の構成を備えた灯具４を組み立てる手順について説明する。まず、取付基台８の光源搭載面８Ｂ及び点灯制御部搭載面８Ｃにそれぞれ光源６及び点灯制御部７を搭載して、光源６及び点灯制御部７及び取付基台８を一体化する。次いで、光源６及び点灯制御部７と一体化された取付基台８を、支持台９１の支持部９８上にネジ８１によりネジ止め固定する。その後、支持台９１と筐体９の枠９３とを枠落下防止ワイヤ９７により互いに繋ぎ、枠９３を本体９２に係合させて取り付ける。
【００２４】
図８に示すように、灯具４は、ネジ３３の破損や緩み等によりアーム３から脱落する場合がある。このような場合でも、脱落した灯具４は、ワイヤ５により他の灯具４に繋ぎ止められているので地面Ｇには落下せず、ワイヤ５の弛みの長さ分（１５〜２０ｃｍ）だけアーム３の端部からぶら下がった状態となる。
【００２５】
上述のように、本実施形態の照明器具１によれば、複数の灯具４同士がワイヤ５により互いに結びつけられ、一の灯具４が他の灯具４の落下を防止する部材として機能する。そのため、灯具４の落下を防止する特別な部材を設けなくても灯具４の地面Ｇへの落下を防止することができる。
【００２６】
また、ワイヤ５がポール２の内部空間２１において弛みを有するように配されているので、灯具４がアーム３から脱落した場合に灯具４がアーム３の端部からぶら下がった状態となって、周囲の人々に灯具４の異常取付状態を報知する。これにより、周囲に居る人々が効率良く灯具４の異常取付状態を認知することができる。
【００２７】
また、光源６及び点灯制御部７を取付基台８に取り付けることで、光源６及び点灯制御部７を取付基台８と一体化することができるので、部材点数を減らして照明器具１の組み立てにおける作業工数を減らすことができる。また、取付基台８が放熱性を有する材料により構成され、かつ表面積の大きい角筒形状とされているので、光源６や点灯制御部７から発生した熱は取付基台８から支持台９１及び筐体９を経て外部に放熱される。これにより、別途放熱部材を設けなくても器具内の熱を効率良く放熱することができる。更に、取付基台８が単純な角筒状とされているので、その作製が容易である。
【００２８】
また、取付基台８の光源搭載面８Ｂの長手方向長さが固定面８Ａの長手方向長さよりも短く構成されているので、取付基台８を光源搭載面８Ｂ側から見たときにネジ孔８２が露出する。そのため、取付基台８を支持台９１に固定する際に作業者がネジ孔８２を視認することができるので、ネジ止めがやり易くなって操作性が向上する。
【００２９】
更に、筐体９に支持台９１が溶接され、支持台９１に取付基台８がネジ止めされるので、筐体９にネジ穴を設ける必要がない。これにより、灯具４の密閉性を高くして降雨時でも灯具４内への雨水の侵入を防ぐことができるので、雨水による光源６の故障や筐体９内部の腐食劣化等を防いで照明器具１の信頼性を高めることができる。
【００３０】
なお、本発明に係る照明器具は、上記実施形態に限定されず、種々の変形が可能である。例えば、アーム及び灯具は、それぞれ３つ以上設けられてもよい。また、ワイヤは必ずしもポールの内部空間において弛みを有さなくてもよい。また、取付基台の形状は、四角筒形状に限定されず、例えば、三角筒形状や六角筒形状とされてもよいし、固定面と光源搭載面とは必ずしも互いに対向する位置に配置されなくてもよい。また、取付基台の支持台への取り付けは、ネジ止めに限定されず、例えば、取付基台及び支持台にそれぞれ嵌合部材又は係合部材を設け、これらを互いに嵌合又は係合させることで行ってもよい。この場合、取付基台は、その両端に必ずしも斜めの開口を有する必要はない。更に、取付基台を直接に筐体に取り付ける構成としてもよい。
【符号の説明】
【００３１】
１  照明器具
６  光源
７  点灯制御部
８  取付基台
８１  ネジ
８２  ネジ孔
８３  開口
８Ａ  固定面
８Ｂ  光源搭載面
８Ｃ  点灯制御部搭載面
９  筐体
９１  支持台
９８  支持部
９９  接合部
【図１】
0005853152.tif 000002
【図２】
0005853152.tif 000003
【図３】
0005853152.tif 000004
【図４】
0005853152.tif 000005
【図５】
0005853152.tif 000006
【図６】
0005853152.tif 000007
【図７】
0005853152.tif 000008
【図８】
0005853152.tif 000009